(57)【要約】  【課題】  効率の良い作業手順のアドバイスが可能であると共に、進捗状況が定量的に把握可能であるＣＡＤ進捗管理システム、進捗管理方法、及びそのプログラムを提供する。  【解決手段】ＣＡＤプログラムにより作成されたＣＡＤ図面データを所定時間間隔で取得するＣＡＤ図面データ取得手段と、ＣＡＤ図面データ又はディスプレイに表示されている作成画面よりＣＡＤ図面の画像を取得するＣＡＤ画像取得手段と、ＣＡＤデータ取得手段が取得した複数のＣＡＤ図面データを、当該図面を構成する複数の図面要素に分割する要素分割手段と、複数の分割した要素についての情報を時系列で比較しＣＡＤ図面データの作成の進捗度を算出する比較手段と、進捗度及びＣＡＤ図面の画像を表示する表示手段とを備えるＣＡＤ進捗管理システム、進捗管理方法、及びそのプログラムを提供する。【選択図】  図１
2006190199.tif 000002
【特許請求の範囲】
【請求項１】
ＣＡＤ図面の作成の進捗状況を管理するＣＡＤ進捗管理システムであって、
ＣＡＤプログラムにより作成されたＣＡＤ図面データを所定時間間隔で取得するＣＡＤ図面データ取得手段と、
上記ＣＡＤ図面データ又はディスプレイに表示されている作成画面より、ＣＡＤ図面の画像を取得するＣＡＤ画像取得手段と、
上記ＣＡＤデータ取得手段が取得した複数のＣＡＤ図面データを、当該図面を構成する複数の図面要素に分割する要素分割手段と、
複数の上記分割した要素についての情報を時系列で比較し、ＣＡＤ図面データの作成の進捗度を算出する比較手段と、
上記進捗度及び上記ＣＡＤ図面の画像を表示する表示手段と
を備えたＣＡＤ進捗管理システム。
【請求項２】
上記ＣＡＤ画像取得手段がＣＡＤ図面データよりＣＡＤ図面の画像を取得する場合、画像描画のための視点座標、倍率の少なくとも一方を前回取得した設定と同一とする請求項１に記載のＣＡＤ進捗管理システム。
【請求項３】
さらに図面要素ごとに重み付けのための係数を記憶する係数記憶手段を備え、
上記比較手段は、上記係数を用いて進捗度を算出する請求項１に記載のＣＡＤ進捗管理システム。
【請求項４】
さらに予想される図面完成時の総要素数を記憶した総要素数記憶手段を備え、
上記比較手段は、上記総要素数に基づいて進捗度を算出する請求項１〜３のいずれかに記載のＣＡＤ進捗管理システム。
【請求項５】
上記要素分割手段は、完成したＣＡＤ図面より総要素数を算出し、上記総要素数記憶手段に当該ＣＡＤ図面の総要素数を反映させる請求項４に記載のＣＡＤ進捗管理システム。
【請求項６】
上記ＣＡＤ図面は、３ＤＣＡＤ図面である請求項１〜５のいずれか１項に記載のＣＡＤ進捗管理システム。
【請求項７】
ＣＡＤ図面の作成の進捗状況を管理するＣＡＤ作成進捗管理方法であって、
ＣＡＤプログラムにより作成されたＣＡＤ図面データを所定時間間隔で取得するＣＡＤ図面データ取得ステップと、
上記ＣＡＤ図面データ又はディスプレイに表示されている作成画面より、ＣＡＤ図面の画像を取得するＣＡＤ画像取得ステップと、
上記ＣＡＤデータ取得手段が取得した複数のＣＡＤ図面データを、当該図面を構成する複数の図面要素に分割する要素分割ステップと、
複数の上記分割した要素についての情報を時系列で比較し、ＣＡＤ図面データの作成の進捗度を算出する比較ステップと、
上記進捗度及び上記ＣＡＤ図面の画像を表示する表示ステップと
を備えたＣＡＤ作成進捗管理方法。
【請求項８】
ＣＡＤ図面の作成を行うコンピュータに、
ＣＡＤプログラムにより作成されたＣＡＤ図面データを所定時間間隔で取得するＣＡＤ図面データ取得ステップと、
上記ＣＡＤ図面データ又はディスプレイに表示されている作成画面より、ＣＡＤ図面の画像を取得するＣＡＤ画像取得ステップと、
上記ＣＡＤデータ取得手段が取得した複数のＣＡＤ図面データを、当該図面を構成する複数の図面要素に分割する要素分割ステップと、
複数の上記分割した要素についての情報を時系列で比較し、ＣＡＤ図面データの作成の進捗度を算出する比較ステップと、
上記進捗度及び上記ＣＡＤ図面の画像を表示する表示ステップと、
を実行させるプログラム。
【請求項９】
ＣＡＤ図面の作成を行うＣＡＤ作業端末であって、
ＣＡＤプログラムにより作成されたＣＡＤ図面データを所定時間間隔で取得するＣＡＤ図面データ取得手段と、
上記ＣＡＤ図面データ又はディスプレイに表示されている作成画面より、ＣＡＤ図面の画像を取得するＣＡＤ画像取得手段と、
上記ＣＡＤ図面データ及びＣＡＤ図面画像を所定のＣＡＤ作業進捗サーバに送信する送信手段と、
を備えたＣＡＤ作業端末。
【請求項１０】
ＣＡＤ図面の作成を行うＣＡＤ作業端末に、
ＣＡＤプログラムにより作成されたＣＡＤ図面データを所定時間間隔で取得するＣＡＤ図面データ取得ステップと、
上記ＣＡＤ図面データ又はディスプレイに表示されている作成画面より、ＣＡＤ図面の画像を取得するＣＡＤ画像取得ステップと、
上記ＣＡＤ図面データ及びＣＡＤ図面画像を所定のＣＡＤ作業進捗サーバに送信する送信ステップと、
を実行させるプログラム。
【請求項１１】
ＣＡＤ図面の作成の進捗状況を管理するＣＡＤ進捗管理サーバであって、
取得した複数のＣＡＤ図面データを、当該図面を構成する複数の図面要素に分割する要素分割手段と、
複数の上記分割した要素についての情報を時系列で比較し、ＣＡＤ図面データの作成の進捗度を算出する比較手段と、
上記進捗度と、上記ＣＡＤ図面データに基づいて作成された又は所定の作業端末より送信された作成画面とを所定の管理端末に送信する送信手段と、
を備えたＣＡＤ進捗管理サーバ。
【請求項１２】
ＣＡＤ図面の作成の進捗状況を管理するＣＡＤ進捗管理サーバに、
取得した複数のＣＡＤ図面データを、当該図面を構成する複数の図面要素に分割する要素分割ステップと、
複数の上記分割した要素についての情報を時系列で比較し、ＣＡＤ図面データの作成の進捗度を算出する比較ステップと、
上記進捗度と、上記ＣＡＤ図面データに基づいて作成された又は所定の作業端末より送信された作成画面とを所定の管理端末に送信する送信ステップと、
を実行させるプログラム。
【発明の詳細な説明】
【技術分野】
【０００１】
本発明は、管理者が作業者のＣＡＤ（Computer-Aided Design）図面作成作業の進捗度を容易に把握可能なＣＡＤ進捗管理システム、進捗管理方法、及びそのプログラムに関するものである。
【背景技術】
【０００２】
従来では、管理者がＣＡＤ図面作成作業の進捗状況を把握するには、管理者が作業者の作業端末に赴き、当該作業端末の表示画面を見て判断する必要があった。
【０００３】
また、特許文献１に記載の技術では、作業者が作業の状況を入力し、当該入力された情報を管理者端末にて取得する技術が示されている。
【特許文献１】特開２００３−２１６６８６号公報
【発明の開示】
【発明が解決しようとする課題】
【０００４】
ＣＡＤ図面を作成するに当たり、同一のＣＡＤ図面を作成する場合であっても作業者の作業手順によって、完成までの時間が大きく異なるのが通常である。このため、管理者は定期的に作業者の図面作成作業の進捗状況を把握し、一層効率の良い作業手順をアドバイスする必要がある。
【０００５】
しかしながら従来では、上述したように管理者が作業端末の表示画面を見て判断する必要があるため、その進捗状況の把握が曖昧であった。すなわち、例えば数時間前の作業者の図面を管理者が明確に把握している場合は少ないため、現在の表示画面を見た場合でも、管理者の進捗状況の把握は感覚的なものでしかなかった。特にＣＡＤ図面では、拡大・縮小が頻繁に行われるため、一見異なるように見える図面が実は同一の図面である場合が多々あり、この点も進捗状況の把握を困難にする一因といえる。また、作業者の人数が多い場合にはなおさら各作業者の進捗状況を把握するのは困難であった。
【０００６】
さらに、ＣＡＤ図面が３Ｄ（立体）図面である場合、表示画面で把握できる面について見た目が変わらない場合であっても、例えばその背面については大きな加工が施されている場合がある。しかしこのような場合は、作業端末の表示画面を見るだけでは進捗度が全く把握できないといった問題があった。
【０００７】
従って本発明は、上記従来の事情に基づいて提案されたものであって、効率の良い作業手順のアドバイスが可能であると共に、進捗状況が定量的に把握可能であるＣＡＤ進捗管理システム、進捗管理方法、及びそのプログラムを提供することを目的とする。
【課題を解決するための手段】
【０００８】
本発明は、上記目的を達成するために以下の手段を採用している。すなわち本発明におけるＣＡＤ進捗管理システムは、ＣＡＤプログラムにより作成されたＣＡＤ図面データを所定時間間隔で取得するＣＡＤ図面データ取得手段と、ＣＡＤ図面データ又はディスプレイに表示されている作成画面よりＣＡＤ図面の画像を取得するＣＡＤ画像取得手段と、ＣＡＤデータ取得手段が取得した複数のＣＡＤ図面データを、当該図面を構成する複数の図面要素に分割する要素分割手段と、複数の分割した要素についての情報を時系列で比較し、ＣＡＤ図面データの作成の進捗度を算出する比較手段と、進捗度及びＣＡＤ図面の画像を表示する表示手段とを備える。
【０００９】
このＣＡＤ進捗管理システムでは、所定の時間間隔で自動的にＣＡＤ図面データ及びＣＡＤ図面を画像として表示した画像データを取得し、進捗度を算出した後、画像データと進捗度をあわせて（管理端末で）表示可能である。したがって、管理者は作業者の端末に出向くことなく、また定量的に進捗度を正確に把握することが可能となる。さらに、同時に画像データを表示するため、進捗の把握のみでなく、作業者に図面の作成手順などの適切なアドバイスを与えることが可能になる。
【００１０】
尚、ＣＡＤ画像取得手段がＣＡＤ図面データよりＣＡＤ図面の画像を取得する場合、画像描画のための視点座標、倍率の少なくとも一方を前回取得した設定と同一とする構成がある。
【００１１】
この構成では、画像データの見た目の方向及び拡大・縮小率を前回取得した場合と同一にすることができる。したがって、前回取得した画像データと今回取得した画像データとの目視による比較が容易となる。
【００１２】
また、要素ごとに重み付けのための係数を記憶する係数記憶手段を備え、比較手段は、この係数を用いて進捗度を算出する構成としてもよい。
【００１３】
係数に基づいて各要素に重み付けを行うことで、要素数のみではなく図面の複雑さを反映した、より正確な進捗度を算出できることができる。結果として、管理者は各作業者毎に、現在作成中の図面の複雑さを考慮する必要がなく、算出される進捗度の数値のみで作業者の進捗状況を公平に把握可能となる。
【００１４】
また、予想される図面完成時の総要素数を記憶した総要素数記憶手段を備え、比較手段は、総要素数に基づいて進捗度を算出する構成としてもよい。
【００１５】
この構成では、前回からの進捗度だけでなく、完成時に対する進捗度を算出することが可能になる。
【００１６】
またさらに、要素分割手段は、完成したＣＡＤ図面より総要素数を算出し、総要素数記憶手段に当該ＣＡＤ図面の総要素数を反映させる構成がある。
【００１７】
この構成では、完成図面の総要素数に基づいて、総要素数記憶手段に記憶されている予想総要素数を更新することで、作業の進捗度を一層正確に算出することが可能になる。
【００１８】
尚、ＣＡＤ図面が３ＤＣＡＤ図面である場合には、画像データだけでは判断できない例えば裏側の構成までも進捗度として表されるため、目視により把握できない部分（画像データに表示されない部分）の進捗度までも判断可能となり、非常に有効である。
【００１９】
ここで、上記ＣＡＤ進捗管理システム、ＣＡＤ進捗管理サーバ、ＣＡＤ作業端末は、コンピュータを用いて具体化することができる。その場合、記憶手段を除く各手段は、コンピュータ上でプログラムを動作させることにより具体化される。
【発明の効果】
【００２０】
本発明に係るＣＡＤ進捗管理システムにおいては、所定の時間間隔で自動的にＣＡＤ図面データ及びＣＡＤ図面を画像として表示した画像データを取得し、進捗度を算出した後、画像データと進捗度をあわせて管理端末で表示可能である。したがって、管理者は作業者の端末に出向くことなく、また定量的に進捗度を正確に把握することが可能となる。さらに、同時に画像データを表示するため、進捗の把握のみでなく、作業者に図面の作成手順などの適切なアドバイスを与えることが可能になる。
【００２１】
また、画像データの見た目の方向及び拡大・縮小率を前回取得した場合と同一にすることができる。したがって、前回取得した画像データと今回取得した画像データとの目視による比較が容易となる。
【００２２】
さらに、係数に基づいて各要素に重み付けを行うことで、要素数のみではなく図面の複雑さを反映した、より正確な進捗度を算出できることができる。結果として、管理者は各作業者毎に、現在作成中の図面の複雑さを考慮する必要がなく、算出される進捗度の数値のみで作業者の進捗状況を公平に把握可能となる。
【００２３】
尚、ＣＡＤ図面が３ＤＣＡＤ図面である場合には、画像データだけでは判断できない例えば裏側の構成までも進捗度として表されるため、目視により把握できない進捗度までも判断可能となる。
【発明を実施するための最良の形態】
【００２４】
以下、添付図面を参照して、本発明の実施の形態につき説明し、本発明の理解に供する。尚、以下の実施の形態は、本発明を具体化した一例であって、本発明の技術的範囲を限定する性格のものではない。また、フローチャートにおける数値の前に付されたアルファベット「Ｓ」はステップを意味する。
【００２５】
本発明に係るＣＡＤ進捗管理システムは、図２に示すように、作業端末１０１と管理端末１０５とＣＡＤ進捗管理サーバ１０８とがネットワーク２０３を介してそれぞれ通信可能に接続される。尚、上記ＣＡＤ進捗管理サーバ１０８が備える機能は、作業者端末１０１、或いは管理者端末１０５が備えても良い。
【００２６】
（実施の形態１）
以下、本発明に係る実施の形態におけるＣＡＤ進捗管理システム１００の処理について説明する。
【００２７】
図１は、作業端末１０１、管理端末１０５、及びＣＡＤ進捗管理サーバ１０８の概略機能ブロック図であるが、各手段の処理等については後述する。
【００２８】
また、図３は、ＣＡＤ進捗管理サーバ１０８の概略構成図であり、ＣＰＵ（Central Processing Unit）３０１、ＲＡＭ（Random Access Memory）３０２、ＲＯＭ（Read Only Memory）３０３、ＨＤＤ（Hard Disk Drive）３０４及びネットワークＩ／Ｆ（インターフェイス）３０５が内部バス３０６を介して接続されている。上記ＣＰＵ３０１は、例えばＲＡＭ３０２を作業領域として利用し、ＲＯＭ３０３やＨＤＤ３０４等に記憶されているプログラムを実行することで上記図１に示した各手段として動作する。上記ネットワークＩ／Ｆ３０５は、ネットワークと接続されており、他の機器とデータの授受が可能となっている。また、作業端末１０１、管理端末１０５の構成も上記ＣＡＤ進捗管理サーバ１０８と同様であり、上記記憶されているプログラムが異なることで、異なる処理を実行可能となっている。
【００２９】
図２は、ＣＡＤ進捗管理サーバ１０８を中核としてなるＣＡＤ進捗管理システム１００のシステム構成例であり、ＣＡＤ進捗管理サーバ１０８に加えて複数の作業端末１０１、及び管理端末１０５がインターネットやイントラネット等のネットワーク２０３を介して通信可能に接続されている。
【００３０】
続いて、ＣＡＤ進捗管理サーバ１０８における処理について説明する。尚、作業者は例えば作業端末１０１に備えられるマウスやキーボードなどの入力手段を操作することにより、作業端末１０１上でＣＡＤ図面（以後図面と称する）を作成している状況を想定する。
【００３１】
上記作業端末１０１で図面を作成している間、ＣＡＤ図面データ取得手段１０２は、計時手段１１６に基づいて例えば所定の時間間隔（ここでは１時間とする）で作成中の図面の図面データ（ＣＡＤ図面データ）を取得する（図５：Ｓ５０１）。作成中の図面データの取得方法としては、例えば現在更新している図面データを、一旦、ＨＤＤ３０４等の所定の記憶手段に一時的に保存して取得する方法が挙げられる。これにより、現在作成中である最新の図面データが取得可能である。
【００３２】
また、ＣＡＤ画像取得手段１０３は、同じく上記計時手段１１６に基づいて例えば作業端末１０１の表示装置に表示されている、現在更新中の図面についての画像をキャプチャし、画像データとして取得する（図５：Ｓ５０２）。これにより、現在作成中の図面の画像が取得可能である。尚、上記ＣＡＤ画像取得手段１０３による画像データの取得は、例えば上記ＣＡＤ図面データ取得手段１０２が取得した図面データを読み込むことにより作成しても良い。この場合、例えば画像データが立体表示（３ＤＣＡＤデータ）であるとすると、視点座標及び倍率を所定の値に決めることにより、方向及び拡大・縮小率を前回取得した場合と同一にすることが可能になる。後者の方法で取得する場合には、上記ＣＡＤ画像取得手段１０３の機能をＣＡＤ進捗管理サーバ１０８に備えるようにしてもよい。
【００３３】
尚、ここでは、ＣＡＤ図面データ取得手段１０２及びＣＡＤ画像取得手段１０３は、上記計時手段１１６をトリガーとして図面データ、及び画像を取得したが、図面データの更新（上書き保存）をトリガーとして、図面データ、及び画像の取得を行っても良い。また、上記作業端末１０１における作業対象である図面データは、当該作業端末１０１ではなく、ＣＡＤ進捗管理サーバ１０８に保存されていてもよい。
【００３４】
続いて、送信手段１０４は、上記図面データ及び画像データをＣＡＤ進捗管理サーバ１０８に送信する（図５：Ｓ５０３）。
【００３５】
上記図面データ及び画像データを受信手段１１４にて受信すると、上記ＣＡＤ進捗管理サーバ１０８は、上記図面データを要素分割手段１０９に送信する（図５：Ｓ５０４）。
【００３６】
次に、当該図面データを受信した要素分割手段１０９は、当該図面データを各要素に分割し、当該各要素の数をカウントする（図５：Ｓ５０５）。上記要素分割手段１０９にてカウントされた各要素は、要素データ４００として、要素記憶手段１１０に記憶される。尚、当該要素データが記憶された際、対応する画像データも上記要素記憶手段１１０に関連付けて記憶される。
【００３７】
上記要素データ４００は、例えば図４Ａに示すように、作業端末１０１を利用している作業者の名称である作業者名４０１、上記図面データのファイル名４０２、上記図面データを取得した日時である作業日時４０３、分割された各要素の名称である要素名４０４、カウントされた当該要素の数である要素数４０５、前回取得した図面データ内の各要素からの増加数４０６より構成される。尚、図４Ａ中、今回取得された図面データに対応する要素データは要素データ４１１であり、前回取得され、既に各要素に分割されている要素データは要素データ４１０であるとする。また、この例では、分割された要素を、「点」、「直線」、「スプライン」、「平面」、「曲面」、及び「合計」としているが、さらに細かく分類しても良いし、他の要素が加えられても良い。
【００３８】
各要素が分割され、画像データと対応付けられて上記要素記憶手段１１０に記憶されると、続いて比較手段１１２は、上記要素記憶手段１１０に記憶されている情報を元に進捗度を算出する（図５：Ｓ５０７）。進捗度の算出は、例えば、前回取得した図面データの各要素データと、今回取得した図面データの各要素データと、あらかじめ予想される図面完成時の総要素数とに基づいて行われる。上記総要素数は、例えば図４Ｂに示す総要素数データ４２０に示される。
【００３９】
具体的には、例えば総要素数記憶手段１１３に記憶されている総要素数データ４２０の予想要素数４２２を分母とし、今回の要素数の合計４１３と前回の要素数の合計４１２との差を分子とする。本例では、（４６０−４００）÷５００＝１２（％）が前回からの進捗度となる。当然、全体に占める現在の進捗度合い（ここでは、４６０÷５００＝９２（％））としてもなんら問題はない。また、前回の要素数と今回の要素数のみから算出されるものであってもよく、定量的に示すのであれば他の算出方法でも良い。
【００４０】
ところで、例えばＣＡＤ図面が何の図面であるかにより、完成時の要素数がある程度予想可能である。このことを利用して、例えば、総要素数データ４２０の種別４２１は、「商品Ａ」という種別であることを示し、対応する予想要素数４２２は、ＣＡＤ図面作成時には例えば約５００個の要素で完成することを示している。そして本実施の形態では、作業者のファイル名４２０と一致させる事により、対応する総要素数を総要素数記憶手段１１３より取得可能となっているが、どの様に総要素数を取得しても良い。尚、過去のデータ数４２３については後述する。
【００４１】
さて、上記比較手段１１２による進捗度の算出が完了すると、続いて進捗度・画面データ合成手段１１１が進捗度と当該進捗度に対応する画像データとに基づいて表示用データを作成し、送信手段１１５を介して管理端末１０５に送信する（図５：Ｓ５０８→Ｓ５０９）。
【００４２】
上記管理端末１０５の受信手段１０７が上記表示用データを受信すると、進捗度表示手段１０６が当該表示用データをディスプレイ等に表示する（図５：Ｓ５１０→Ｓ５１１）。
【００４３】
上記表示用データを表示した際の一例を図７の表示例７００に示す。表示例７００には、上記作業者４０１、上記ファイル名４０２、上記作業日時４０３、上記比較手段１１２により算出された進捗度７０１、及びＣＡＤ画像取得手段１０３より取得された画像データ７０２が例えば図面データを取得した順に時系列で複数（ここでは２回分）表示されている。
【００４４】
以上のように、所定の時間間隔で自動的にＣＡＤ図面データ及び画像データを取得し、進捗度を算出した後、画像データと進捗度をあわせて管理端末で表示することにより、管理者は作業者の端末に出向くことなく、また定量的に進捗度を正確に把握することが可能となる。また、画像の把握のみでなく進捗度を定量的に把握できることにより、特に３ＤのＣＡＤ図面である場合には画像データに表示されない部分の進捗も的確に把握可能である。
【００４５】
また、同時に画像データを表示するため、進捗の把握のみでなく、作業者に図面の作成手順などの適切なアドバイスを与えることが可能になる。
【００４６】
またさらに、ＣＡＤ画像取得手段がＣＡＤ図面データより画像データを取得する場合は、視点座標及び倍率を所定の値に決めることにより、方向及び拡大・縮小率を前回取得した場合と同一にすることができる。したがって、前回取得した画像データと今回取得した画像データとの目視による比較が容易となる。
【００４７】
（実施の形態２）
続いて、本発明の実施の形態２に係るＣＡＤ進捗管理システムについて図５、図６、図８、図９を用いて説明を行う。尚、上記実施の形態１と同様の部分については記載を省略する。
【００４８】
ＣＡＤ図面の作成時には、作業する対象となる要素により作業者の負担が異なる。例えば要素数が同じと仮定すると、直線の要素ばかりの図面作成よりも、曲面やスプラインといった要素を使った場合のほうが、時間と技量とを必要とするのである。このため、本実施の形態２に係るＣＡＤ進捗管理システム８０１は、進捗度をより正確に算出するために係数記憶手段８０２を備えている。当該係数記憶手段８０２に記憶されている重み付け係数データは、図９の重み付け係数データ９０１に示すように、各要素の要素名９０２と、その要素に対する重み付け係数９０３とが対応付けて記憶されている。ここで、当該重み付け係数９０３は、例えば直線の要素を基準（「１．０」）とし、他の要素が当該直線に対してどの程度の時間と技量とを必要とするかを踏まえた値になっている。例えば、曲面なら重み付け係数は「２．０」となり、直線よりも扱いが難しい要素となっている。
【００４９】
さて、上記実施の形態１において要素分割手段１０９が各要素に分割した後、比較手段８０３が進捗度を算出する際に、当該比較手段８０３は、図６に示す要素データ６００と、上記重み付けデータ９０１を読み出し、各要素毎に上記係数を積算して各要素を重み付けする（図５：Ｓ５０６）。重み付け後には、要素数４０５は、図６の重み付け後６０１に示すように、要素数ではなく時間や技量を反映した値に変換される。
【００５０】
以後、上記比較手段８０３は、重み付け後６０１の値を用いて上記実施の形態１と同様に進捗度算出をし、進捗度及び図面データが管理端末１０５に表示される（図５：Ｓ５０７→Ｓ５１１）。尚、この際に、総要素数記憶手段１１３に記憶された総要素数データは、例えば登録時に上記重み付け係数が反映されて登録されているのが好ましい。登録方法については後述する。
【００５１】
以上のように、進捗度の算出時に各要素毎に重み付けを行い、当該重み付けされた値に基づいて進捗度を算出することで、要素数のみではなく、図面の複雑さを反映した、より正確な進捗度を算出できることができる。結果として、管理者は各作業者毎に、現在作成中の図面の複雑さを考慮する必要がなく、算出される進捗度の数値のみで作業者の進捗状況を公平に把握可能となる。
【００５２】
（実施の形態３）
続いて、本発明の実施の形態３に係るＣＡＤ進捗管理システムについて図４、図８を用いて説明を行う。尚、上記実施の形態１、２と同様の部分については記載を省略する。
【００５３】
本実施の形態３においては、要素分割手段１０９は図面データを受信すると、当該図面データが完成図面か否かを判定する。当該判定は、例えば作業者が図面データのプロパティに「完成図面」と入力されていることを読み出す処理により行われる。
【００５４】
上記要素分割手段１０９が、受信した図面データを完成図面であると判定すると、当該図面データを各要素に分割した後、その要素数を上記総要素数データ４２０に反映させる。上記予想要素数４２２に対する反映は、予想要素数４２２の値を、例えば「上記過去のデータ数４２３と予想要素数４２２とを積算し、その結果の値に上記分割した後の要素数を加えて、「過去のデータ数＋１」で割った値で更新する」ことにより行われる。尚、過去のデータ数４２３は、現図面以前に作成され、完成した他の図面の数である。また、更新の際、過去のデータ数４２３は１を加えて更新する。上記実施の形態２に対応させる場合には、例えば上記要素分割手段１０９が、各要素を上記重み付け係数を用いて積算した後に登録する。
【００５５】
以上のように、完成図面の総要素数に基づいて、総要素数記憶手段に記憶されている予想総要素数を更新することで、作業の進捗度を一層正確に算出することが可能になる。
【００５６】
尚、上記要素分割手段１０９による総要素数の反映は、上記図面データを受信するたびに行っても良いし、例えば上記作業端末１０１に、総要素数送信手段を設け、当該総要素数送信手段により送信された図面データに対してのみ上記要素分割手段１０９が反映処理を行うようにしてもよい。
【産業上の利用可能性】
【００５７】
本発明に係るＣＡＤ進捗管理システム、進捗管理方法、及びそのプログラムでは、効率の良い作業手順のアドバイスが可能であると共に、進捗状況が定量的に把握可能であるため、作業者のＣＡＤ図面作成作業の進捗度を容易に把握可能なＣＡＤ進捗管理システム、進捗管理方法、及びそのプログラムとして有用である。
【図面の簡単な説明】
【００５８】
【図１】ＣＡＤ進捗管理システムの概略機能ブロック図。
【図２】ＣＡＤ進捗管理システムのシステム構成例を示す図。
【図３】ＣＡＤ進捗管理サーバの概略構成図。
【図４】要素データ及び総要素数データの一例を示す図。
【図５】ＣＡＤ進捗管理システムの処理を示すフローチャート。
【図６】実施の形態２における要素データの一例を示す図
【図７】管理端末における表示例を示す図。
【図８】実施の形態２におけるＣＡＤ進捗管理システムの概略機能ブロック図。
【図９】重み付け係数データの一例を示す図。
【符号の説明】
【００５９】
１０１  作業端末
１０２  ＣＡＤ図面データ取得手段
１０３  ＣＡＤ画像取得手段
１０４  送信手段（作業端末側）
１０５  管理端末
１０６  進捗度表示手段
１０７  受信手段（管理端末側）
１０８  ＣＡＤ進捗管理サーバ
１０９  要素分割手段
１１０  要素記憶手段
１１１  進捗度・画面データ合成手段
１１２  比較手段
１１３  総要素数記憶手段
１１４  受信手段（ＣＡＤ進捗管理サーバ側）
１１５  送信手段（ＣＡＤ進捗管理サーバ側）
【図１】
2006190199.tif 000003
【図２】
2006190199.tif 000004
【図３】
2006190199.tif 000005
【図４】
2006190199.tif 000006
【図５】
2006190199.tif 000007
【図６】
2006190199.tif 000008
【図７】
2006190199.tif 000009
【図８】
2006190199.tif 000010
【図９】
2006190199.tif 000011